(57)【要約】【課題】中敷兼スリッパを、靴として使用する際とスリッパとして使用する際とで、その都度装飾体を付け替えるのは不便であった。【解決手段】切欠き部１５を備える靴２と、装飾体４を備えたベルト１７を有する中敷兼スリッパ３を用いる構成にすることにより、中敷兼スリッパ３が靴２から取り出され、スリッパとして使用される際には、ベルト１７に備えられた装飾体４がスリッパの装飾として機能し、中敷兼スリッパ３が靴２の内部にあり、靴の中敷として使用される際には、ベルト１７に備えられた装飾体４が、靴２の切欠き部１５を通じて靴２の外部へ露出し、靴２の装飾として機能する。これにより、靴として使用する際もスリッパとして使用する際も、装飾体４を兼用することができる。【選択図】図１
2018175485.tif 000002
【特許請求の範囲】
【請求項１】
靴と、中敷兼スリッパと、装飾体と、からなり、
前記靴は、
足を載せるソールと、
前記ソールの周縁部から立ち上がって上縁部が履き口をなし、その履き口から挿入された足の側方から上方にかけてを覆い、かつその履き口に連続する切欠き部が設けられたアッパーと、を有し、
前記中敷兼スリッパは、
足を載せる中敷本体と、
前記中敷本体の周縁部間に架け渡されて足を中敷本体上に保持するためのベルトと、を有して、
前記履き口を通じて前記靴の内外に出し入れ可能であり、前記靴内にあるときに前記靴の中敷として使用され、前記靴外にあるときにスリッパとして使用され、
前記装飾体は、
前記中敷兼スリッパのベルト上に取り付けられており、
前記中敷兼スリッパが靴内にあるときに前記アッパーの切欠き部を通じて靴外に露出可能となっている、履物セット。
【請求項２】
前記装飾体は、前記中敷兼スリッパのベルトに対して着脱可能に構成されている請求項１に記載の履物セット。
【発明の詳細な説明】
【技術分野】
【０００１】
本発明は、靴とその靴の内外に出し入れ可能で、中敷としてもスリッパとしても使用可能な中敷兼スリッパとを備える履物セットに関する。
【背景技術】
【０００２】
旅行中での乗り物内では、くつろぐために靴からスリッパへ履きかえる人も多くいる。しかし、スリッパを持参すると荷物が増えてしまい、またわざわざ荷物の中からスリッパを取り出すのは面倒という問題があった。
このような問題を解決するものとして、特許文献１には、靴と、その靴の内外に出し入れ可能であり、靴内にあるときは中敷として使用され、靴外にあるときはスリッパとして使用可能な中敷兼スリッパとを備える履物セットの発明が開示されている。
【先行技術文献】
【特許文献】
【０００３】
【特許文献１】特開２００１−１４９１０３号公報
【発明の概要】
【発明が解決しようとする課題】
【０００４】
ところで、この種の履物セットにおいて、たとえば女性用であれば、スリッパの状態でも装飾体が欲しいというニーズがある。その装飾体を付属させる際に、靴と中敷兼スリッパに個別に付属させるとなると、コスト高につながる。
また、装飾体が付属する中敷を靴の内外へ出し入れする際に、その装飾体が靴の内側と干渉して出し入れに支障をきたしたり、装飾体と靴の内側とがこすれ合って損傷する恐れがある。一方、中敷兼スリッパを靴から出し入れする都度、装飾体を付け外しするのは手間となる。
【０００５】
そこで、本件発明は、上記課題に鑑みたものであり、付属させた装飾体を靴と中敷兼スリッパとで兼用可能とした履物セットを提供することを目的とする。
【課題を解決するための手段】
【０００６】
上記目的を達成するため、本発明は、靴と、中敷兼スリッパと、装飾体からなっている。
靴は、ソールとアッパーを有し、ソールには足が載せられる。アッパーは、ソールの周縁部から立ち上がって上縁部が履き口となり、その履き口から挿入された足の側方から上方にかけてを覆っている。アッパーには、履き口から連続する切欠き部が設けられている。
中敷兼スリッパは、足が載せられる中敷本体と、その中敷本体の周縁部間に架け渡されて足を中敷本体上に保持するためのベルトとを備えている。中敷兼スリッパは、履き口を通じて靴の内外に出し入れが可能であり、靴内にあるときに靴の中敷として使用され、靴外にあるときにスリッパとして使用される。
装飾体は、中敷兼スリッパのベルト上に取り付けられており、中敷兼スリッパが靴内にあるときに装飾体は切欠き部を通じて靴外に露出可能となっている。
【０００７】
かかる構成によれば、中敷兼スリッパが靴の外部にあるときは、装飾体はそのスリッパの装飾として機能し、内部にあるときは装飾体は切欠き部を通じて靴外に露出することで靴の装飾として機能することになるため、兼用が可能となる。
中敷兼スリッパを靴の内外に出し入れする際には、装飾体は靴の切欠き部に抜き挿しされることで、靴の内側との干渉が防止されているため、装飾体や靴の内側がこすれあって損傷することはない。
【０００８】
本発明の履物セットにおいて、前記装飾体は、中敷兼スリッパのベルトに対して着脱可能に構成されているのが好ましい。
【０００９】
かかる構成によれば、複数種の装飾体を準備して状況に応じて装飾体を付け替えることができ、また装飾体が不要の時には取り外すことが可能となる。
【発明の効果】
【００１０】
本発明によれば、付属させた装飾体を靴と中敷兼スリッパとで兼用させることができる。
【図面の簡単な説明】
【００１１】
【図１】履物セットの分解斜視図
【図２】履物セットの斜視図
【図３】履物セットの横断面図
【図４】靴の縦断面図
【図５】中敷兼スリッパの縦断面図
【図６】装飾体の他の例を示す斜視図
【図７】装飾体のさらに他の例を示す履物セットの一部破断拡大側面図
【発明を実施するための形態】
【００１２】
以下、本発明の好ましい実施形態について図面を参照しつつ詳細に説明する。尚、以下において参照する各図面では互いに共通する部材に同一符号を付しており、それらについての重複する説明は省略する。
【００１３】
(第１実施形態)
図１から図３に示す第１実施形態の履物セット１は、靴２と、靴２の内外に出し入れ可能な中敷兼スリッパ３と、中敷兼スリッパ３に装飾用に取り付けられて靴２の装飾用としても機能する装飾体４とを備えて構成される。
【００１４】
図１から図４に示すように、靴２は、略楕円形状であって長手方向を前後方向とするソール５と、ソール５の上面側にソール５の周縁に沿うように接着等により固着されるインソール６と、足先から足の甲及び足の側方全体を覆うアッパー７と、からなる。
図４のように、靴２の長手方向の先端部がつま先部８となり、後端部がかかと部９となる。つま先部８とかかと部９との間は、つま先部８に近い側から順に、前足部１０、中足部１１、および後足部１２となる。
ソール５は長手方向の先端部がつま先部８に位置し、後端部はかかと部９に位置している。
図４からわかるように、足が載せられるソール５は、後足部１２の略中央部及び前足部１０の略中央部の接地部１３において接地する。
すなわち、ソール５の底面については、前足部１０では、接地部１３から中足部１１にかけて反り上がり、接地部１３からつま先部８にかけても反り上がる。同様に、後足部１２では、接地部１３から中足部１１にかけて反り上がり、接地部１３からかかと部９にかけても反り上がる。それゆえ、前足部１０の接地部１３と、後足部１２の接地部１３とが共に接地している状態では、中足部１１及び、つま先部８とかかと部９とが地面から浮き上がることになる。
ソール５の幅はつま先部８から前足部１０へかけて広がり、接地部１３において最も広く、接地部１３から中足部１１にかけて細くなる。中足部１１から後足部１２の接地部１３にかけてソール５の幅は広がり、接地部１３からかかと部９にかけてソール５の幅は狭まって、ソール５の周縁をなす。
ソール５の厚みは、つま先部８から後足部１２にかけて次第に厚くなり、後足部１２の接地部１３において最大の厚みを有する。
アッパー７はソール５の周縁部から立ち上がり、長手方向の先端がつま先部８に位置し、後端がかかと部９に位置する。アッパー７の上縁部は履き口１４をなす。
履き口１４から挿入された足は、つま先部８から前足部１０にかけてはその側方および上方が覆われ、中足部１１からかかと部９にかけてはその側方が覆われることになる。
またアッパー７には、履き口１４の前縁から連続してつま先部８の方向へと延びる切欠き部１５が備えられる。切欠き部１５の先端は、前足部１０の中途に位置し、つま先部８にまでは至っていない。切欠き部１５の幅は履き口１４の幅よりも小さく、つま先部８に近づくにつれて漸減している。切欠き部１５の縁部は滑らかな曲線的形状である。
【００１５】
図１から３、および図５のように、中敷兼スリッパ３は、中敷本体１６と、帯状のゴムひもであるベルト１７とからなり、ベルト１７は中敷本体１６の略中央から前方にかけての側方間を架け渡すように配置される。
図５のように、中敷兼スリッパ３の長手方向の先端部は、つま先部１８となり、後端部はかかと部１９となる。つま先部１８とかかと部１９との間は、つま先部１８に近い側から順に、前足部２０、中足部２１、および後足部２２となる。
図５のように、中敷本体１６は、下から順に、底部２３、クッション部２４、メッシュ部２５、および布体２６の四層の生地が重なり合って形成されている。
底部２３は、略楕円形状であってその厚みはソール５の厚みより薄い。
底部２３の幅は、つま先部１８から前足部２０へかけて広がり、中足部２１へかけて細くなる。さらに、中足部２１から後足部２２にかけて幅は広がり、かかと部１９にかけて幅は狭まって、底部２３の周縁をなす。
クッション部２４は、底部２３の輪郭形状と略等しい輪郭形状であって、その厚みは底部２３の厚みより薄く、底部２３の周縁部とクッション部２４の周縁部が重なるよう、底部２３の上面に接着等により固着されている。
メッシュ部２５は、底部２３及びクッション部２４の輪郭形状と略等しい輪郭形状であって網目状に形成されており、クッション部２４の周縁部に重なるよう、クッション部２４の上面に接着等により固着されている。
布体２６は、つま先部１８から中足部２１にかけてメッシュ部２５の周縁部と重なって、中足部２１からかかと部１９にかけてはメッシュ部２５の周縁部より一定の距離を有する輪郭形状である。布体２６はメッシュ部２５の上面に接着等により固着される。
ベルト１７は中敷本体１６の前足部２０上に位置しており、環形円状をなしている。ベルト１７は、その両端が中敷兼スリッパ３の幅方向に向かい合った状態で、メッシュ部２５と布体２６の間に差し込まれて、接着等により固着されている。
【００１６】
この中敷兼スリッパ３を靴２の履き口１４から挿入した場合には、そのつま先部１８の内側と靴２のつま先部８が当接し、そのかかと部１９と靴２のかかと部９とが重なるように配置されることになる。
【００１７】
これにより、中敷兼スリッパ３をスリッパとして使用するときに、ベルト１７によって中敷本体１６を足裏に当接させ保持させることができる。
【００１８】
図１から図３のように、装飾体４は、本実施形態では花を模した形状をなしており、中敷兼スリッパ３のベルト１７上に接着等により固着されている。
この装飾体４のベルト１７上における位置は、中敷兼スリッパ３を靴２の内部に挿入した状態で靴２のアッパー７に設けられた切欠き部１５と重なる位置となっている。
したがって、中敷兼スリッパ３を靴２に挿入した状態で、図３に示すように中敷兼スリッパ３のベルト１７は靴２のアッパー７の内側と当接し、ベルト１７上に配置される装飾体４は靴２の切欠き部１５を通じて、靴２の外部へ露出されることになる。
【００１９】
第１実施形態の履物セット１の構成は以上のようであり、中敷兼スリッパ３が靴２から取り出され、スリッパとして使用される際には、ベルト１７に備えられた装飾体４がそのスリッパの装飾として機能する。
一方、中敷兼スリッパ３が靴２の内部にあり、靴２の中敷として使用される際には、ベルト１７に備えられた装飾体４が、靴２の切欠き部１５を通じて靴２の外部へ露出するため、靴２の装飾として機能する。したがって、靴２と中敷兼スリッパ３に個別に装飾体を設ける必要がなくなる。
また、中敷兼スリッパ３を靴２の内外へ出し入れする際にも、装飾体４は切欠き部１５を通じて常に靴２の外に位置することになるため、装飾体４と靴２の内側との干渉が防止されている。したがって、靴２の内側や装飾体４がこすれ合って損傷することはない。なお切欠き部１５は、その縁部が滑らかな曲線的形状であるため、装飾体４を抜き挿しする際に、引っ掛かる等することもない。
【００２０】
（第２実施形態）
第２実施形態の履物セット１は、第１実施形態における履物セット１では、装飾体４は中敷兼スリッパ３のベルト１７に固定されていたのに対し、装飾体４が中敷兼スリッパ３のベルト１７に付け外し可能となっている点が相違する。以下、ベルト１７に着脱可能に構成された装飾体４について説明し、第１実施形態と同様の構成については説明を省略する。
【００２１】
図６のように、装飾体４は底部２７と、底部２７の上面に取り付けられた装飾部２８と、底部２７の下面に取り付けられた留め具２９とからなる。
留め具２９は、ベース部３０とはさみ部３１からなり、ベース部３０は底部２７の略中心に配置される。ベース部３０は軸受け部３２を有し、はさみ部３１は、一端に軸部３４を有し、この軸部３４はベース部３０の軸受け部３２に軸支されている。これにより、はさみ部３１は、ベース部３０に接近する閉位置とベース部３０から離反する開位置との間で回動可能となっている。ここではさみ部３１の軸部３４は矩形平板状であって、ベース部３０の軸受け部３２は板バネ構造となっており、軸部３４を常時ベース部３０に向けて押圧している。そのため、外力が加わらない状態では、平板状の軸部３４がベース部３０に対して平行である状態が維持される。すなわち、はさみ部３１が開位置にあれば、その開いた状態が維持され、軸受け部３２の押圧に抗してはさみ部３１を閉位置まで回動させれば、閉位置、その閉じた状態が維持される。
ベルト１７に装飾体４を取り付けるには、ベルト１７の側端をベース部３０とはさみ部３１との間に配置し、はさみ部３１を閉位置まで回動させる。はさみ部３１は、閉位置において、ベース部３０と対向する面に突起部３３を有するため、この突起部３３がベルト１７に食い込み滑り止めとなる。このようにして、装飾体４がベルト１７に取り付けられる。装飾体４をベルト１７から取り外す際には、はさみ部３１を閉位置から開位置へと回動させ、ベース部３０とはさみ部３１の間からベルト１７を抜き取る。
このように、装飾体４をベルト１７に対して着脱可能に構成することで、たとえば異種の花を模した複数種の装飾体４を準備して、履物セット１の使用状況に応じて装飾体４を付け替えることができるようになる。また、装飾体４が不要の際には、装飾体４を取り外すことができるようになる。
【００２２】
（第３実施形態）
第３実施形態の履物セット１は、第２実施形態の履物セット１と同様に、装飾体４がベルト１７に着脱可能となっているが、その着脱機構について相違する。
図７に示すように、第３実施形態の履物セット１では、装飾体４の裏面側にスナップボタンの凸部３５を配置し、さらにベルト１７にスナップボタンの凹部３６が配置される構成とすることで、凸部３５と凹部３６とを脱着させ、装飾体４のベルト１７に対する取り外しが可能としている。
【００２３】
以上、本発明に関する幾つかの実施形態について説明したが、本発明は上記実施形態において説明したものに限定されるものではなく、種々の変形例が適用可能である。
【００２４】
靴２や中敷兼スリッパ３の形状は、実施形態に限定されない。
たとえば、中敷兼スリッパ３のベルト１７が、つま先部１８から前足部２０にかけて足の側方及び上方が覆われるような形状であっても構わない。
【００２５】
靴２のアッパー７に設けられた切欠き部１５の形状も、実施形態に限定されない。
たとえば、スリットのような切込みであっても構わず、その際には、中敷本体１６が靴２の内部にある場合には、装飾体４が切欠き部１５を押し広げ、装飾体４が靴２の内部から外部へと露出することとなる。
【００２６】
装飾体４の形状も実施形態に限定されない。
たとえば、宝石を模した形状や、球形状や矩形状であっても構わず、中敷本体１６が靴２の内部に挿入されると、装飾体４が靴２の外部へと露出可能な形状ないし寸法であればよい。
【００２７】
装飾体４とベルト１７との着脱機構は、第２実施形態および第３実施形態のものに限定されない。たとえば、面ファスナを用いた着脱機構でもよい。
【符号の説明】
【００２８】
１  履物セット
２  靴
３  中敷兼スリッパ
４  装飾体
５  ソール
６  インソール
７  アッパー
８  つま先部
９  かかと部
１０  前足部
１１  中足部
１２  後足部
１３  接地部
１４  履き口
１５  切欠き部
１６  中敷本体
１７  ベルト
１８  つま先部
１９  かかと部
２０  前足部
２１  中足部
２２  後足部
２３  底部
２４  クッション部
２５  メッシュ部
２６  布体
２７  底部
２８  装飾部
２９  留め具
３０  ベース部
３１  はさみ部
３２  軸受け部
３３  突起部
３４  軸部
３５  凸部
３６  凹部
【図１】
2018175485.tif 000003
【図２】
2018175485.tif 000004
【図３】
2018175485.tif 000005
【図４】
2018175485.tif 000006
【図５】
2018175485.tif 000007
【図６】
2018175485.tif 000008
【図７】
2018175485.tif 000009